(57)【特許請求の範囲】
【請求項１】
ウエスト開口部及び一対のレッグ開口部を有し、吸液パッドの外面側に装着可能であり、略全体が編みこまれた繊維状部材の隙間から内部が視認可能なネット状のパンツであって、
前記吸液パッドの外面側を覆うように装着された使い捨ておむつの外面側に装着された状態で該使い捨ておむつの略全長を被覆可能に構成され、
前記ウエスト開口部は、２枚の横長矩形形状の前記繊維状部材に、長手方向に沿って延びるとともに幅方向に間隔を開けて弾性部材が配置されたシート状部材を重ね合わせた状態で、該シート状部材の長手方向の一方の側縁により形成され、
前記レッグ開口部は、長手方向の他方の側縁における略中央部を接合し、該略中央部の幅方向両側に形成される非接合部分により形成されており、
丈方向における伸長率が８０％から２２０％であるネット状のパンツ。
【請求項２】
繊維状部材が編み込まれて形成された伸縮性を有するシート状部材により構成され、前記吸液パッドの外面側に装着された状態で該吸液パッドの外面を視認可能であり、かつ、前記使い捨ておむつの外面側に装着された状態で該使い捨ておむつの外面を視認可能である請求項１に記載のネット状のパンツ。
【請求項３】
使い捨ておむつの内面側に吸液パッドを配置する工程と、
前記吸液パッドが配置された前記使い捨ておむつを被装着者に装着する工程と、
前記使い捨ておむつの外面側にウエスト開口部及び一対のレッグ開口部を有する請求項１又は２に記載のネット状のパンツを装着して、該ネット状のパンツにより前記使い捨ておむつの略全長を被覆する工程と、を備えるネット状のパンツの装着方法。
【請求項４】
前記使い捨ておむつとして展開型の使い捨ておむつを用いる請求項３に記載のネット状のパンツの装着方法。
【発明の詳細な説明】
【技術分野】
【０００１】
本発明は、ネット状のパンツ及びその装着方法に関する。詳しくは、ウエスト開口部及び一対のレッグ開口部を有するネット状のパンツ及びその装着方法に関する。
【背景技術】
【０００２】
従来、生理用ナプキンや失禁パッド等の略矩形形状を有する吸液パッドを固定し、この吸液パッドを装着者の身体にフィットさせるショーツが提案されている（例えば、特許文献１参照）。
以上のショーツは、このショーツの装着者が自分の手で装着しやすいように縦方向（丈方向）における伸長率を小さく構成している。
【先行技術文献】
【特許文献】
【０００３】
【特許文献１】特開２００６−１４４１６４号公報
【発明の概要】
【発明が解決しようとする課題】
【０００４】
ところで、上述の吸液パッドは、介護の現場においても用いられている。介護の現場においては、装着者に対する吸液パッドの装着や、この吸液パッドを固定するショーツのようなネット状のパンツの装着は、介護者により行われる。この場合、装着者が自ら装着しやすいように構成されている特許文献１で提案されたショーツを、介護者の手により装着させることは困難であった。
【０００５】
また、外装体は、吸液パッドの外側に直接装着される。そのため、介護者が吸液パッドの装着に不慣れな場合、吸液パッドから尿等の液体が漏れてしまう場合があり、このように液漏れが発生してしまうと、吸液パッドから漏れた液体により外装体や衣類が汚れてしまう場合があった。
【０００６】
従って、本発明は、吸液パッドの装着に不慣れな場合でも液漏れによる汚れが生じにくいネット状のパンツ及びその装着方法を提供することを目的とする。
【課題を解決するための手段】
【０００７】
本発明は、ウエスト開口部及び一対のレッグ開口部を有し、吸液パッドの外面側に装着可能なネット状のパンツであって、前記吸液パッドの外面側を覆うように装着された使い捨ておむつの外面側に装着された状態で該使い捨ておむつの略全長を被覆可能に構成されているネット状のパンツに関する。
【０００８】
また、ネット状のパンツは、丈方向における伸長率が６０〜２３０％であることが好ましい。
【０００９】
また、ネット状のパンツは、繊維状部材が編み込まれて形成された伸縮性を有するシート状部材により構成され、前記吸液パッドの外面側に装着された状態で該吸液パッドの外面を視認可能であり、かつ、前記使い捨ておむつの外面側に装着された状態で該使い捨ておむつの外面を視認可能であることが好ましい。
【００１０】
また、本発明は、使い捨ておむつの内面側に吸液パッドを配置する工程と、前記吸液パッドが配置された前記使い捨ておむつを被装着者に装着する工程と、前記使い捨ておむつの外面側にウエスト開口部及び一対のレッグ開口部を有するネット状のパンツを装着して、該ネット状のパンツにより前記使い捨ておむつの略全長を被覆する工程と、を備えるネット状のパンツの装着方法に関する。
【００１１】
また、前記使い捨ておむつとして、展開型の使い捨ておむつを用いることが好ましい。
【発明の効果】
【００１２】
本発明によれば、吸液パッドの装着に不慣れであっても液漏れによる汚れが生じにくいネット状のパンツ及びその装着方法を提供できる。
【図面の簡単な説明】
【００１３】
【図１】本発明のネット状のパンツの好ましい一実施形態としての伸縮パンツを示す斜視図である。
【図２】図１に示す伸縮パンツの平面図である。
【図３】図１に示す伸縮パンツを吸液パッドの外面側に装着した状態を示す斜視図である。
【図４】図１に示す伸縮パンツを使い捨ておむつの外面側に装着した状態を示す斜視図である。
【図５】吸液パッドの平面図である。
【図６】吸液パッドを配置した使い捨ておむつの展開状態における分解斜視図である。
【発明を実施するための形態】
【００１４】
以下、本発明の好ましい一実施形態について図面を参照しながら説明する。図１は、本発明のネット状のパンツの好ましい一実施形態としての伸縮パンツ１を示す斜視図である。図２は、伸縮パンツ１の平面図である。
【００１５】
図１及び図２に示すように、本実施形態の伸縮パンツ１は、前身頃２及び後身頃３を有する。また、この伸縮パンツ１は、ウエスト開口部４及び一対のレッグ開口部５を有している。
【００１６】
伸縮パンツ１は、図２に示すように、２枚の略同形の横長矩形形状のシート状部材を重ね合わせた状態で、これらのシート状部材の幅方向に沿う一対の側縁６を接合すると共に、シート状部材の長手方向に沿う一対の側縁７ａ，７ｂのうちの一方の側縁７ａの略中央部を接合して形成される。即ち、シート状部材の長手方向に沿う一対の側縁７ａ，７ｂのうちの一方の側縁７ａにおける非接合部分により一対のレッグ開口部５が形成され、他方の側縁７ｂによりウエスト開口部４が形成される。
伸縮パンツ１を構成するシート状部材は、繊維状部材が編み込まれて形成されており、伸縮性を有する。
【００１７】
伸縮パンツ１のウエスト開口部４近傍には、伸縮パンツ１の幅方向（図１及び図２に示すＸ方向）に沿って弾性部材８が配置されている。また、伸縮パンツ１のウエスト開口部４と一対のレッグ開口部５との間にも、伸縮パンツ１の幅方向に沿って複数の弾性部材８が所定間隔をあけて配置されている。
【００１８】
以上の伸縮パンツ１は、図３に示すように、尿パッド等の略矩形形状の吸液パッド１０を高齢者等の装着者に装着した状態で、この吸液パッド１０の外面側に装着される。また、伸縮パンツ１は、図４に示すように、装着された吸液パッド１０の外面側を覆うように使い捨ておむつ２０を装着した状態で、この使い捨ておむつ２０の外面側に装着される。
【００１９】
吸液パッド１０は、図５に示すように、平面視で縦長の矩形形状を有している。この吸液パッド１０は、装着者の肌当接面側に配置される液透過性の表面シート１１と、装着者の非肌当接面側に配置される液不透過性又は液難透過性の裏面シート１２（図３参照）と、表面シート１１と裏面シート１２との間に配置される液吸収性の吸収体１３と、を備えて構成される。また、表面シート１１の両側部近傍には、装着者の肌側に起立する一対の防漏壁１４が設けられている。
【００２０】
吸液パッド１０の長手方向における長さに特に制限はないが、装着者の排泄部を好適に覆う観点から、好ましくは１２０ｍｍから９６０ｍｍ、より好ましくは３８０ｍｍから８５０ｍｍである。また、吸液パッド１０の幅方向における長さ（股下幅）は、好ましくは４０ｍｍから３６０ｍｍ、より好ましくは１６０ｍｍから２５０ｍｍである。
【００２１】
尚、本発明における吸液パッドは、実質的に排泄部を覆うような形状や大きさであればよく、上記のような平面視で縦長の矩形形状には限定さない。例えば排泄部を覆うことができる立体的な形状のものであってもよい。この場合の吸液パッドの略全長とは、装着時の腹側から背側に至る長さである。
【００２２】
使い捨ておむつ２０は、図６に示すように、展開型の使い捨ておむつであり、装着時に装着者の腹側に配置される腹側部２１と、装着者の背側に配置される背側部２２と、腹側部２１と背側部２２との間に配置される股下部２３と、を備える。この使い捨ておむつ２０は、股下部２３の両側縁が内向きの円弧状に湾曲しており、長手方向の中央部がくびれた略砂時計形状を有している。
【００２３】
使い捨ておむつ２０は、吸液パッド１０と同様の構成を有しており、図６に示すように、装着者の肌当接面側に配置される液透過性の表面シート２４と、装着者の非肌当接面側に配置される液不透過性又は液難透過性の裏面シート２５（図４参照）と、表面シート２４と裏面シート２５との間に配置される液吸収性の吸収体２６と、を備えて構成される。また、表面シート２４の両側部近傍には、装着者の肌側に起立する一対の防漏壁２７が設けられている。
また、使い捨ておむつ２０の背側部２２の両側縁には、それぞれ、ファスニングテープ２８が設けられ、腹側部の外面（非肌当接面）には、ファスニングテープ２７を止着可能なランディングテープ２９（図４参照）が設けられる。
【００２４】
使い捨ておむつ２０の長手方向における長さに特に制限はないが、装着者の排泄部を好適に覆う観点から、好ましくは３００ｍｍから１０００ｍｍ、より好ましくは７９０ｍｍから９６０ｍｍである。また、使い捨ておむつ２０の股下部における幅方向の長さは吸液パッド１０の幅方向の長さよりも長いことが好ましく、具体的には４５ｍｍから３６０ｍｍである。
【００２５】
本実施形態の伸縮パンツ１は、幅方向Ｘに直交する丈方向（図１及び図２に示すＹ方向）における伸長率が６０〜２３０％、好ましくは、８０％から２２０％に構成されている。これにより、伸縮パンツ１は、吸液パッド１０の外面側に装着された状態で、この吸液パッド１０の長手方向の略全長を被覆すると共に、使い捨ておむつ２０の外面側に装着された状態で、この使い捨ておむつ２０の略全長を被覆可能に構成される。
【００２６】
伸縮パンツ１の丈方向Ｙにおける伸長率が６０％未満の場合には、伸縮パンツ１を使い捨ておむつ２０の外面側に装着する場合に、伸縮パンツ１を装着しにくくなってしまう。また、伸縮パンツ１を使い捨ておむつの外面側に装着した場合に、この使い捨ておむつの略全長を覆えなくなってしまうおそれがある。
また、伸縮パンツ１の丈方向Ｙにおける伸長率が２３０％を超える場合には、吸液パッド１０の外側に直接伸縮パンツ１を装着した場合における吸液パッド１０の位置固定効果が弱くなり、液漏れが生じやすくなってしまう。
尚、伸縮パンツ１の幅方向Ｘにおける伸長率は、好ましくは４０〜１７０％、より好ましくは６０〜１５０％である。
【００２７】
伸縮パンツ１の伸長率は、以下の式を用いて計算される。
伸長率（％）＝（最大伸長状態における長さ−自然状態における長さ）／自然状態における長さ×１００
【００２８】
伸縮パンツ１の自然状態における幅方向Ｘの長さＬ１は、好ましくは２００〜４００ｍｍ、より好ましくは２３０〜３５０ｍｍである。また、伸縮パンツ１の自然状態における丈方向Ｙの長さＬ２は、好ましくは１２０〜２５０ｍｍ、より好ましくは１４０〜２３０ｍｍである。
【００２９】
次に、本実施形態の伸縮パンツ１の装着方法につき説明する。
上述のように、本実施形態の伸縮パンツ１は、吸液パッド１０を装着者に装着した状態で、この吸液パッド１０の外面側に装着されると共に、装着された吸液パッド１０の外面側を覆うように使い捨ておむつ２０を装着した状態においても、この使い捨ておむつ２０の外面側に装着される。
【００３０】
先ず、伸縮パンツ１を吸液パッド１０の外側に直接装着する場合の装着方法について説明する。
この場合、まず、装着者に対して吸液パッド１０及び伸縮パンツ１を装着する者（例えば、介護者）は、吸液パッド１０を、装着者の股下を覆うように装着する。次いで、介護者は、装着者の両足を伸縮パンツ１のウエスト開口部４側から一対のレッグ開口部５側に向けて通す。次いで、一対のレッグ開口部５に装着者の両足が通された伸縮パンツ１を、吸液パッド１０の長手方向の略全長を覆うまで引き上げる。これにより、吸液パッド１０は、装着者の股下を覆った位置で、伸縮パンツ１に覆われて保持される（図３参照）。
尚、この状態で、シート状部材を構成する編みこまれた繊維状部材の隙間から吸液パッド１０は視認可能となっている。
【００３１】
次に、吸液パッド１０の外面側を覆うように装着した使い捨ておむつ２０の外面側に伸縮パンツ１を装着する場合の装着方法について説明する。
この場合、先ず、図６に示すように、吸液パッド１０を使い捨ておむつの表面シート２４側（肌当接面側）に配置する。次いで、介護者は、吸液パッド１０が装着者の股下に対向するように使い捨ておむつ２０を配置する。次いで、介護者は、背側部２２に設けられたファスニングテープ２８を腹側部２１の外面側に設けられたランディングテープ２９に止着して使い捨ておむつ２０を装着者に装着する。次いで、装着者の両足を伸縮パンツ１のウエスト開口部４側から一対のレッグ開口部５側に向けて通す。次いで、一対のレッグ開口部５に装着者の両足が通された伸縮パンツ１を、使い捨ておむつ２０の略全長を覆うまで引き上げる。これにより、吸液パッド１０は、装着者の股下を覆った位置で、使い捨ておむつ２０及び伸縮パンツ１により覆われて保持される（図４参照）。
尚、この状態においても、シート状部材を構成する編みこまれた繊維状部材の隙間から使い捨ておむつ２０は視認可能となっている。
【００３２】
以上説明した本実施形態の伸縮パンツ１、及び伸縮パンツ１の装着方法によれば、以下のような効果を奏する。
使い捨ておむつ２０の外面側に装着された状態において、この使い捨ておむつ２０の略全長を被覆可能に構成した。これにより、伸縮パンツ１を使い捨ておむつ２０の外側に配置した場合に、この伸縮パンツ１により使い捨ておむつ２０の略全長を覆えるので装着者に装着した吸液パッド１０の位置がずれにくい。よって、吸液パッド１０の装着に不慣れな介護者の場合は、使い捨ておむつ２０に吸液パッド１０を配置し、吸液パッド１０が配置された使い捨ておむつ２０を装着者に装着した後に、この使い捨ておむつ２０の外側に伸縮パンツ１を装着できる。その結果、吸液パッド１０の装着に不慣れであっても吸液パッド１０からの液漏れにより伸縮パンツ１が汚れにくい。
【００３３】
また、吸液パッド１０の外面側に装着された状態で、この吸液パッド１０の長手方向の略全長を被覆可能に構成した。これにより、伸縮パンツ１を、吸液パッド１０の外側に直接配置した場合、及び使い捨ておむつ２０の外側に配置した場合のいずれの場合においても、この伸縮パンツ１により吸液パッド１０又は使い捨ておむつ２０の略全長を覆える。よって、伸縮パンツ１を、吸液パッド１０の外側に直接配置した場合、及び使い捨ておむつ２０の外側に配置した場合のいずれの場合にも好適に使用できるので、伸縮パンツ１の利便性を向上できる。
【００３４】
また、伸縮パンツ１の丈方向Ｙにおける伸長率を６０〜２３０％とした。これにより、伸縮パンツ１を吸液パッド１０の外側に直接配置した場合、及び使い捨ておむつ２０の外側に配置した場合のいずれの場合においても吸液パッド１０又は使い捨ておむつ２０の略全長を好適に覆うことができる。よって、伸縮パンツ１による吸液パッド１０の位置ずれ防止効果を向上できる。
【００３５】
また、伸縮パンツ１を、繊維状部材が編みこまれて形成された伸縮性を有するシート状部材により構成した。これにより、伸縮パンツ１を吸液パッド１０の外面側に装着した状態、及び使い捨ておむつ２０の外面側に装着した状態のいずれの状態においても、編みこまれた繊維状部材の隙間から吸液パッド１０又は使い捨ておむつ２０を視認できる。よって、例えば、吸液パッド１０又は使い捨ておむつ２０の外面に、所定量の尿が検知された場合に色が変化して吸液パッド１０又は使い捨ておむつ２０の交換時期を知らせる識別部材が配置されていた場合には、この識別部材の色の変化を容易に認識できる。
【００３６】
また、装着者が寝返りを打つなどして体位を変更した場合には、使い捨ておむつ２０と装着者の体との間に配置される吸液パッド１０に位置ずれが生じやすい。このように、吸液パッド１０に位置ずれが生じた場合には、使い捨ておむつ２０への液漏れが起こりやすくなり、使い捨ておむつ２０の交換頻度が多くなってしまう。
そこで、吸液パッド１０を内面側に配置した使い捨ておむつ２０を装着者に装着した後に、この使い捨ておむつ２０の外側に、使い捨ておむつ２０の略全長を覆うように伸縮パンツ１を装着した。これにより、装着者が寝返りを打つなどして体位を変更した場合においても、吸液パッド１０の位置ずれが生じにくい。よって、使い捨ておむつへの液漏れが起こりにくくなるので、使い捨ておむつ２０の交換頻度を少なくできる。
【００３７】
また、吸液パッド１０の外側に配置する使い捨ておむつ２０として展開型の使い捨ておむつ２０を用いた。これにより、使い捨ておむつ２０の内側に吸液パッド１０を正確に配置できる。よって、吸液パッド１０を装着者の股下に好適に位置させられるので使い捨ておむつ２０への液漏れを低減できる。
【００３８】
以上、本発明の好ましい一実施形態について説明したが、本発明は、上述した実施形態に制限されるものではなく、適宜変更が可能である。
例えば、本実施形態では、吸液パッド１０を、表面シート１１、裏面シート１２及び吸収体１３により構成したが、これに限らない。即ち、吸液パッドを、液透過性の表面シートと、液不透過性の裏面シートと、装着者が排泄した尿を検知する尿検知部と、排泄された尿を導出する導尿チューブと、尿検知部により尿が検知された場合に導尿チューブを介して尿を導出する導出機構と、を備える尿レシーバにより構成してもよい。
【実施例】
【００３９】
以下、実施例及び比較例により、本発明を更に具体的に説明する。
下記実施例１及び比較例１により、吸液パッド、使い捨ておむつ、及び伸縮パンツを装着後に装着者が体位を変更した場合における、吸液パッドから使い捨ておむつへの液漏れ量（以下、内漏れ量という）、及び使い捨ておむつから外部への液漏れ（以下、外漏れという）の有無を測定した。
【００４０】
〔実施例１〕
伸縮パンツ：自然状態における幅２５５ｍｍ、丈２１０ｍｍ、幅方向における伸長率１５０％、丈方向における伸長率１４０％
吸液パッド：ユニ・チャーム（株）製、商品名「ライフリー  お肌快適パッド」
使い捨ておむつ：ユニ・チャーム（株）製、商品名「ライフリー  横漏れあんしんテープ止め」（展開型使い捨ておむつ）
【００４１】
〔内漏れ量及び外漏れ量の測定〕
等身大のモデル（人形）に吸液パッド及び使い捨ておむつを装着した後、この使い捨ておむつの外側に伸縮パンツを装着した。次いで、吸液パッド、使い捨ておむつ、及び伸縮パンツを装着したモデルを繰り返し１０回ジャッキアップし、モデルに擬似的な腹筋運動を１０回行わせた。腹筋運動終了後のモデルを仰臥位、側臥位、及び座位の３姿勢にし、それぞれに１５０ｍｌの人工尿を５ｍｌ／ｓにて注入した。人工尿の注入後、内漏れ量及び外漏れの有無を測定した。
【００４２】
〔比較例１〕
伸縮パンツを用いなかった以外は、実施例１と同様の方法で内漏れ量及び外漏れ量の測定を行った。
【００４３】
実施例１及び比較例１における内漏れ量及び外漏れの有無の測定結果を以下の表１に示す。
【００４４】
【表１】
0005552278.tif 000002
【００４５】
表１に示したように、実施例１では、座位の場合にわずかに内漏れが見られたが、仰臥位及び側臥位では、内漏れは見られなかった。これに対し、比較例では、側臥位及び座位において多量の内漏れが見られた。
【符号の説明】
【００４６】
１  伸縮パンツ（ネット状のパンツ）
２  前身頃
３  後身頃
４  ウエスト開口部
５  レッグ開口部
１０  吸液パッド
２０  使い捨ておむつ
【図１】
0005552278.tif 000003
【図２】
0005552278.tif 000004
【図３】
0005552278.tif 000005
【図４】
0005552278.tif 000006
【図５】
0005552278.tif 000007
【図６】
0005552278.tif 000008